(57)【要約】
【課題】投入パイプのサクションホースにおける肥料の流れを良好に保持して、搬送装置側へ逆流したり、搬送装置を詰まらせたりすることのない肥料分配装置を提供する。
【解決手段】肥料分配装置のホッパ６から播種装置のホッパへ肥料を供給するための投入パイプ９の可撓性のサクションホース９ａをＳ字状に曲折しないよう支持し、案内する傾斜板状の案内手段本体１２ａを備えたサクションホース案内手段１２を設ける。
【選択図】図３
0003100793.tif 000002
【実用新案登録請求の範囲】
【請求項１】
ホッパから播種装置のホッパに肥料を供給するための投入パイプの可撓性のサクションホースを曲折しないよう支持し、案内する案内手段本体を備えたサクションホース案内手段を設けたことを特徴とする肥料分配装置。
【請求項２】
案内手段本体は、播種装置側へ向かい下り勾配の傾斜板状である請求項１記載の肥料分配装置。
【請求項３】
案内手段本体は、上部を頂点とした三角形状に形成されている請求項１又は２記載の肥料分配装置。
【考案の詳細な説明】
【技術分野】
【０００１】
本考案は肥料分配装置に関するものである。
【背景技術】
【０００２】
播種装置を使用して農地に種を播くに際しては、種に粒状或いは粉状等の肥料を混ぜることがある。而して、従来の播種装置のホッパで種と肥料を混ぜる場合は、２０Ｋｇ入りの肥料袋をトラックに積んで目的地まで搬送し、目的地に到達したら人が手作業により予め待機させてある播種装置のホッパに一袋ずつ肥料を投入していた。しかし、人力により肥料をホッパへ投入する作業は、作業者に大きな負担を掛けるうえ、肥料をホッパに投入する際に、播種装置のモータに肥料袋が引掛り、破れることがあった。
【０００３】
このため、目的地において播種装置のホッパへ肥料を自動的に投入し得るよう、本願出願人は例えば特許文献１に開示したごとき肥料分配装置について開発を行った。この肥料分配装置は図６に示されており、図中、１はトラック２の荷台に搭載された肥料分配装置、３はトラクタ４により牽引し得るようにした播種装置である。
【０００４】
肥料分配装置１は、枠体５と、枠体５に支持された上部が直方体状で下部が略逆四角錐状のホッパ６と、下部がホッパ６内に挿入された状態で上方へ向かい上り勾配に立設されたバケットコンベヤのごとき搬送装置７と、搬送装置７の上端まで搬送されてきてバケットから放出された肥料をガイドするシュート８と、シュート８によりガイドされて送給されてきた肥料を更にガイドして下流へ送給する、可撓性のサクションホース９ａ及び伸縮パイプ９ｂを有する投入パイプ９を備えており、投入パイプ９の先端部近傍にはモータスイッチ１０が取付けられている。又、播種装置３は複数のホッパ１１を備えている。
【０００５】
上記播種装置３のホッパ１１へ肥料を投入する場合には、ホッパ６へ粒状又は粉状の肥料が収納されている肥料分配装置１をトラック２に積んで目的地まで運搬し、作業者が投入パイプ９を持ってその先端を待機している播種装置３のホッパ１１の上部開口に位置させ、投入パイプ９の先端近傍に設けてあるモータスイッチ１０をオンにする。そうすると、肥料分配装置１の搬送装置７が駆動されてホッパ６に収納されている肥料が搬送され、シュート８から投入パイプ９を通ってホッパ１１へ投入される。
【特許文献１】実用新案登録第３０７６０７４号公報
【考案の開示】
【考案が解決しようとする課題】
【０００６】
特許文献１の肥料分配装置を使用する際には、播種装置３と肥料分配装置１との間の距離及び投入パイプ９の角度、特にサクションホース９ａの角度、並びにサクションホース９ａの曲折状態が非常に重要である。すなわち、投入パイプ９についていえば、播種装置３と肥料分配装置１との間の前後方向距離が近過ぎると投入パイプ９のサクションホース９ａは図７に示すように弛んで側面視で略Ｓ字状に曲折し、又、投入パイプ９の伸縮パイプ９ｂを横方向へ振った場合にも、図８に示すように、サクションホース９ａは弛んで略Ｓ字状に曲折する。このため、サクションホース９ａにおける肥料の流れが悪くなって搬送装置７側へ逆流し、作業の仕方によっては搬送装置７を詰まらせてしまう虞があった。
【０００７】
本考案は、斯かる実情に鑑み、投入パイプのサクションホースにおける肥料の流れを良好に保持して、搬送装置側へ逆流したり、搬送装置を詰まらせたりすることのない肥料分配装置を提供することを目的としてなしたものである。
【課題を解決するための手段】
【０００８】
請求項１の肥料分配装置は、ホッパから播種装置のホッパに肥料を供給するための投入パイプのサクションホースを曲折しないよう支持し、案内する案内手段本体を備えたサクションホース案内手段を設けたものである。
【０００９】
請求項２の肥料分配装置においては、案内手段本体は、播種装置側へ向かい下り勾配の傾斜板状であり、請求項３の肥料分配装置においては、案内手段本体は、上部を頂点とした三角形状に形成されている。
【考案の効果】
【００１０】
本考案の請求項１〜３記載の肥料分配装置によれば、投入パイプのサクションホースはサクションホース案内手段の案内手段本体により、Ｓ字状に曲折しないよう案内さているため、肥料をホッパから播種装置のホッパへ送給する際に、肥料がサクションホースに詰まったり、搬送装置側へ逆流することがなく、従って、作業を円滑に行うことができる、
という優れた効果を奏し得る。
【考案を実施するための最良の形態】
【００１１】
以下、本考案の実施の形態を図示例と共に説明する。
図１〜図５は本考案を実施する形態の一例であり、ホッパ６、シュート８を備えた搬送装置７、サクションホース９ａ及び伸縮パイプ９ｂを有する投入パイプ９、等を備えた肥料分配装置１、播種装置３は図６に示す従来のものと同様である。而して、本図示例の特徴とするところは、図１及び図２に示すごときサクションホース案内手段１２を設けた点にある。すなわち、サクションホース案内手段１２は、可撓性のサクションホース９ａを支持し案内する傾斜板状の案内手段本体１２ａ及び案内手段本体１２ａの裏面に固設されて、案内手段本体１２ａをホッパ６の縁部にセットするためのブラケット１２ｂを備えている。
【００１２】
案内手段本体１２ａの正面形状は上部を頂点とする三角形状であるが、このような形状にしたのは、サクションホース９ａがシュート８との接続部を基準として左右に振れた場合に対応できるようにするためである（図５参照）。
【００１３】
次に、上記図示例の作動を説明する。
本図示例において播種装置３のホッパ１１へ肥料を投入する場合には、ホッパ６へ粒状又は粉状の肥料が収納されている肥料分配装置１をトラック２に積んで目的地まで運搬し、ホッパ６の所定位置の縁部にブラケット１２ｂを介してサクションホース案内手段１２を設定し、サクションホース９ａを案内手段本体１２ａによりＳ字状に弛んで曲折しないよう支持し、案内させる。
【００１４】
斯かる準備が終了後、作業者は投入パイプ９を持ってその先端を待機している播種装置３のホッパ１１の上部開口に位置させ、投入パイプ９の先端近傍に設けてあるモータスイッチ１０をオンにする。そうすると、肥料分配装置１の搬送装置７が駆動されてホッパ６に収納されている肥料が搬送され、シュート８から投入パイプ９を通ってホッパ１１へ投入される。
【００１５】
而して、本図示例では、投入パイプ９のサクションホース９ａはサクションホース案内手段１２の案内手段本体１２ａにより、Ｓ字状に曲折しないよう支持され案内さているため、肥料をホッパ６から播種装置３のホッパ１１へ送給する際に、肥料がサクションホース９ａに詰ったり、逆流することがなく、従って、作業を円滑に行うことができる。
【００１６】
なお、本考案は、上述の図示例にのみ限定されるものではなく、例えばサクションホース案内手段の案内手段本体は三角形状以外の任意の形状にできること、その他本考案の要旨を逸脱しない範囲内において種々変更を加え得ることは勿論である。
【図面の簡単な説明】
【００１７】
【図１】本考案の肥料分配装置に適用するサクションホース案内手段の実施の形態の一例を示す正面図である。
【図２】図１のＩＩ−ＩＩ方向矢視図である。
【図３】本考案の肥料分配装置に適用するサクションホース案内手段により投入パイプのサクションホースを支持して案内する状態の一例を示す正面図である。
【図４】図３のＩＶ−ＩＶ方向矢視図である。
【図５】本考案の肥料分配装置に適用するサクションホース案内手段により投入パイプのサクションホースを支持して案内する状態の他の例を示す正面図である。
【図６】肥料分配装置の概要を示す斜視図である。
【図７】図６の肥料分配装置の投入パイプにおけるサクションホースの状態の一例を示す側面図である。
【図８】図６の肥料分配装置の投入パイプにおけるサクションホースの状態の他の例を示す側面図である。
【符号の説明】
【００１８】
１  肥料分配装置
３  播種装置
６  ホッパ
７  搬送装置
９  投入パイプ
９ａ        サクションホース
１１  ホッパ
１２  サクションホース案内手段
１２ａ        案内手段本体
【図１】
0003100793.tif 000003
【図２】
0003100793.tif 000004
【図３】
0003100793.tif 000005
【図４】
0003100793.tif 000006
【図５】
0003100793.tif 000007
【図６】
0003100793.tif 000008
【図７】
0003100793.tif 000009
【図８】
0003100793.tif 000010
【手続補正書】
【提出日】平成15年11月13日(2003.11.13)
【手続補正１】
【補正対象書類名】実用新案登録請求の範囲
【補正対象項目名】全文
【補正方法】変更
【補正の内容】
【実用新案登録請求の範囲】
【請求項１】
ホッパから播種装置のホッパへ肥料を供給するための投入パイプの可撓性のサクションホースを曲折しないよう支持し、案内するために、前記ホッパ側から播種装置側へ向かい下り勾配の傾斜板状の案内手段本体を備えたサクションホース案内手段を設けたことを特徴とする肥料分配装置。
【請求項２】
案内手段本体は、上部を頂点とした三角形状に形成されている請求項１記載の肥料分配装置。
【手続補正２】
【補正対象書類名】明細書
【補正対象項目名】０００８
【補正方法】変更
【補正の内容】
【０００８】
請求項１の肥料分配装置は、ホッパから播種装置のホッパへ肥料を供給するための投入パイプのサクションホースを曲折しないよう支持し、案内するために、前記ホッパ側から播種装置側へ向かい下り勾配の傾斜板状の案内手段本体を備えたサクションホース案内手段を設けたものである。
【手続補正３】
【補正対象書類名】明細書
【補正対象項目名】０００９
【補正方法】変更
【補正の内容】
【０００９】
請求項２の肥料分配装置においては、案内手段本体は、上部を頂点とした三角形状に形成されている。
【手続補正４】
【補正対象書類名】明細書
【補正対象項目名】００１０
【補正方法】変更
【補正の内容】
【００１０】
本考案の請求項１及び２記載の肥料分配装置によれば、投入パイプのサクションホースはサクションホース案内手段の案内手段本体により、Ｓ字状に曲折しないよう案内されているため、肥料をホッパから播種装置のホッパへ送給する際に、肥料がサクションホースに詰まったり、搬送装置側へ逆流することがなく、従って、作業を円滑に行うことができる、という優れた効果を奏し得る。